(57)【要約】  表示画像（Ｄ）を表示するヘッドアップディスプレイ装置（１）は、それぞれ異なる色の光を発する３つのＬＥＤと、光の反射する角度を制御可能な複数のマイクロミラー（Ｅ）を含む表示素子（３０）と、複数のＬＥＤのうち何れか一つを発光させ、発光するＬＥＤを順次切り替えるフィールドシーケンシャル方式にて所望の色の照明光（Ｃ）を生成するとともに、表示素子（３０）のマイクロミラー（Ｅ）を通じて照明光（Ｃ）のうち表示画像（Ｄ）に対応した光をスクリーン（６０）に向けて反射させる制御部（１００）と、表示素子（３０）の温度を検出する温度センサ（４１）と、表示素子（３０）の温度を上げるヒータ（４２）と、を備える。制御部（１００）は、検出された温度が常温範囲外にある場合、複数のＬＥＤの全てが消灯しているときに、ヒータ（４２）を通じて表示素子（３０）の温度を常温範囲内となるように調整する。
2017038497.tif 000002
【特許請求の範囲】
【請求項１】
所定の画像を表示する表示装置であって、  それぞれ異なる色の光を発する複数の光源と、  光の反射する角度を制御可能な複数の反射部を含む表示素子と、  前記複数の光源のうち何れか一つを発光させ、発光する前記光源を順次切り替えるフィールドシーケンシャル方式にて前記複数の光源から発される光から所望の色の照明光を生成するとともに、前記反射部を通じて前記照明光のうち前記画像に対応した光をスクリーンに向けて反射させる制御部と、  前記表示素子の温度を検出する温度検出部と、  前記表示素子の温度を調整する温度調整部と、を備え、  前記制御部は、前記温度検出部により検出された温度が常温範囲外にある場合、前記複数の光源の全てが消灯しているときに、前記温度調整部を通じて前記表示素子の温度を前記常温範囲内となるように調整する、  ことを特徴とする表示装置。
【請求項２】
前記温度調整部は、前記表示素子の温度を上げる加熱部であって、  前記制御部は、  前記所定の画像を表示する際、前記照明光を生成する表示期間と前記複数の光源の全てを消灯する非表示期間とを繰り返すとともに、  前記温度検出部により検出された温度が前記常温範囲より低い低温表示範囲内にある場合、前記表示期間及び前記非表示期間を繰り返しつつ、当該非表示期間において前記加熱部を通じて前記表示素子の温度を上げ、  前記温度検出部により検出された温度が前記低温表示範囲より低い場合、前記複数の光源の全てを消灯し、前記加熱部を通じて前記表示素子の温度を上げる、  ことを特徴とする請求項１に記載の表示装置。
【請求項３】
前記複数の光源は、それぞれ異なる色の光を発する３つの光源であって、  前記制御部は、  前記温度検出部により検出された温度が前記低温表示範囲内にある場合、前記表示期間において、前記３つの光源のうち１つ又は２つの光源を点灯させずに消灯した状態を維持することで前記複数の光源の全てが消灯した消灯期間を設定し、前記表示期間の前記消灯期間において前記加熱部を通じて前記表示素子の温度を上げる、  ことを特徴とする請求項２に記載の表示装置。
【発明の詳細な説明】
【技術分野】
【０００１】  本発明は、表示装置に関する。
【背景技術】
【０００２】  従来から表示装置として、例えば、表示素子としてＤＭＤ（Digital Micro-mirror Device）が設けられた構成が知られている。この種の表示装置は、ＤＭＤが有する複数のマイクロミラーにて照明光を反射させることで画像光を生成する。例えば、特許文献１に記載の表示装置は、それぞれ赤色、緑色及び青色の光を発する３つの光源のうち何れかの一つを選択的に発光させ、発光する光源を高速で切り替えることで所望の色の照明光を生成する、いわゆるフィールドシーケンシャル方式により動作する。特許文献１には、画像を表示する期間であっても、光源をオフして照明光を生成しない非表示期間を、照明光を生成する表示期間の間に設定することが開示されている。この非表示期間においては、ＤＭＤのマイクロミラーが一定の状態で固着することを防ぐためにマイクロミラーが駆動される。これにより、ＤＭＤの寿命を長くすることができる。
【先行技術文献】
【特許文献】
【０００３】
【特許文献１】特開２０１４−１０４１７号公報
【発明の概要】
【発明が解決しようとする課題】
【０００４】  このようなＤＭＤを備えた表示装置においては、一般的に、安定的な動作が保証されている動作温度範囲が定められている。例えば、ＤＭＤの温度が動作温度範囲を下回った場合には、加熱部によりＤＭＤを温めることが考えられるが、その場合に、加熱部及び光源を同時に駆動することによって、電源から加熱部及び光源に供給される電流のピーク値が大きくなることが懸念される。また、同様の課題は、ＤＭＤの温度が動作温度範囲を上回った場合に、光源と同時に、ＤＭＤの温度を下げる冷却部を駆動させることによっても生じ得る。【０００５】  本発明は、上記実状を鑑みてなされたものであり、表示素子の温度を調整しつつ、電流のピーク値を低減した表示装置を提供することを目的とする。
【課題を解決するための手段】
【０００６】  上記目的を達成するため、本発明の表示装置は、所定の画像を表示する表示装置であって、それぞれ異なる色の光を発する複数の光源と、光の反射する角度を制御可能な複数の反射部を含む表示素子と、前記複数の光源のうち何れか一つを発光させ、発光する前記光源を順次切り替えるフィールドシーケンシャル方式にて前記複数の光源から発される光から所望の色の照明光を生成するとともに、前記反射部を通じて前記照明光のうち前記画像に対応した光をスクリーンに向けて反射させる制御部と、前記表示素子の温度を検出する温度検出部と、前記表示素子の温度を調整する温度調整部と、を備え、前記制御部は、前記温度検出部により検出された温度が常温範囲外にある場合、前記複数の光源の全てが消灯しているときに、前記温度調整部を通じて前記表示素子の温度を前記常温範囲内となるように調整する。
【発明の効果】
【０００７】  本発明によれば、表示素子の温度を調整しつつ、電流のピーク値を低減することができる。
【図面の簡単な説明】
【０００８】
【図１】本発明の第１実施形態に係るヘッドアップディスプレイ装置が搭載された車両の模式図である。
【図２】本発明の第１実施形態に係るヘッドアップディスプレイ装置の構成を示す概略図である。
【図３】本発明の第１実施形態に係る照明装置の構成を示す概略図である。
【図４】本発明の第１実施形態に係るヘッドアップディスプレイ装置の電気的構成を示すブロック図である。
【図５】本発明の第１実施形態に係る表示素子の温度に応じた表示素子のオンオフ状態及び制御部のモードを示した図である。
【図６】本発明の第１実施形態に係る低温表示モードにおける各ＬＥＤ及びヒータのオンオフのタイミングを示すタイミングチャートである。
【図７】本発明の第２実施形態に係る低温表示モードにおける各ＬＥＤ及びヒータのオンオフのタイミングを示すタイミングチャートである。
【発明を実施するための形態】
【０００９】  （第１実施形態）  以下、本発明に係る表示装置を車両に搭載するヘッドアップディスプレイ装置に適用した第１実施形態について説明する。
【００１０】  ヘッドアップディスプレイ装置１は、図１に示すように、車両のダッシュボード内に設けられ、表示画像を表す表示光Ｌをウインドシールド２に向けて照射する。視認者３（主に運転者）は、ウインドシールド２に反射した表示光Ｌを受けて、表示画像の虚像Ｖを視認することができる。
【００１１】  （ヘッドアップディスプレイ装置の構成）  ヘッドアップディスプレイ装置１は、図２に示すように、照明装置１０と、照明光学系２０と、表示素子３０と、温度センサ４１と、温度調整部及び加熱部の一例であるヒータ４２と、投射光学系５０と、スクリーン６０と、平面ミラー７０と、凹面ミラー７１と、ハウジング８０と、照度センサ８２と、制御部１００と、を備える。
【００１２】  ハウジング８０は、硬質樹脂等によって箱状に形成される。ハウジング８０には、ウインドシールド２に対向する面に開口部８０ａが形成され、その開口部８０ａは、アクリル等の透光性樹脂により湾曲形状に形成される窓部８１によって塞がれている。表示光Ｌは、窓部８１を透過してハウジング８０内からウインドシールド２に向かう。ハウジング８０内には、制御部１００を除くヘッドアップディスプレイ装置１の各構成が内蔵されている。なお、制御部１００は、ハウジング８０内に設けられていてもよい。
【００１３】  照明装置１０は、図３に示すように、照明手段１１と、反射透過光学手段１３と、輝度ムラ低減光学手段１４と、を備える。  照明手段１１は、赤色光Ｒを発する赤色ＬＥＤ（Light Emitting Diode）１１ｒと、緑色光Ｇを発する緑色ＬＥＤ１１ｇと、青色光Ｂを発する青色ＬＥＤ１１ｂと、を備える。
【００１４】  反射透過光学手段１３は、図３に示すように、光Ｒ,Ｇ,Ｂに基づき照明光Ｃを生成するものであって、光を反射する反射ミラー１３ａと、誘電体の多層膜等の薄膜が鏡面に形成された鏡で構成され、光の透過と反射を行うダイクロイックミラー１３ｂ、１３ｃと、を備える。  反射ミラー１３ａは、赤色ＬＥＤ１１ｒからの赤色光Ｒを輝度ムラ低減光学手段１４に向かって反射する位置に設けられている。ダイクロイックミラー１３ｂは、緑色ＬＥＤ１１ｇからの緑色光Ｇを輝度ムラ低減光学手段１４に向かって反射し、反射ミラー１３ａからの赤色光Ｒを透過する位置に設けられている。ダイクロイックミラー１３ｃは、青色ＬＥＤ１１ｂからの青色光Ｂを輝度ムラ低減光学手段１４に向かって反射し、反射ミラー１３ａ及びダイクロイックミラー１３ｂからの赤色光Ｒ及び緑色光Ｇを輝度ムラ低減光学手段１４に向かって透過する位置に設けられている。
【００１５】  輝度ムラ低減光学手段１４は、ミラーボックスやアレイレンズなどからなるもので、上述の照明光Ｃを乱反射、散乱、屈折させることで光のムラを低減する。このように照明装置１０は、照明光学系２０に向けて照明光Ｃを出射する。
【００１６】  照明光学系２０は、例えば凹レンズ等で構成され、照明装置１０から出射された照明光Ｃを表示素子３０に対応した大きさに調整する。
【００１７】  表示素子３０は、図２に示すように、反射部の一例である可動式のマイクロミラーＥを備えたＤＭＤからなる。このマイクロミラーＥの下部に設けた電極をマイクロセカンドオーダという非常に短い時間で駆動し、オン／オフの二つの状態を持たせることで各マイクロミラーＥは鏡面を、ヒンジを支点に±１２度傾斜させることができ。マイクロミラーＥがオンのとき、マイクロミラーＥは、ヒンジを支点に＋１２度傾斜し、照明光学系２０から出射された照明光Ｃを投射光学系５０に向けて反射する。マイクロミラーＥがオフのときは、マイクロミラーＥは、ヒンジを支点に−１２度傾斜し、照明光Ｃを投射光学系５０とは異なる方向に反射する。従って、表示素子３０は、各マイクロミラーＥを個別に駆動することにより、照明光Ｃのうち表示画像Ｄのみを投射光学系５０に向けて投射する。表示素子３０の各マイクロミラーＥは、ヘッドアップディスプレイ装置１が電源オフのとき、オン制御における傾斜と、オフ制御における傾斜との中間点（本例では０度）に位置する。
【００１８】  温度センサ４１は、例えば、表示素子３０のベース基板に設けられるダイオード等からなる。温度センサ４１は、表示素子３０の温度を測定し、その検出結果を制御部１００に出力する。
【００１９】  ヒータ４２は、制御部１００による制御のもと、表示素子３０を加熱するものであって、一例としては、ニクロム線により構成される。ヒータ４２はオンされることで発熱する。
【００２０】  投射光学系５０は、例えば凹レンズ又は凸レンズ等で構成され、表示素子３０から投影された表示画像Ｄに対応する表示光Ｌをスクリーン６０に効率よく照射する。
【００２１】  スクリーン６０は、拡散板，ホログラフィックディフューザ，マイクロレンズアレイ等から構成され、投射光学系５０からの表示光Ｌを下面で受光して上面に表示画像Ｄを表示する。
【００２２】  平面ミラー７０は、スクリーン６０からの表示画像Ｄに対応した表示光Ｌを凹面ミラー７１に向かって反射させる。凹面ミラー７１は、凹面鏡等であり、平面ミラー７０からの表示光Ｌを窓部８１に向かって反射させる。
【００２３】  照度センサ８２は、図２に示すように、窓部８１の内側の外光があたる位置に配設されるものであり、外光による照度を検出し、その検出結果を制御部１００に出力する。制御部１００は、照度センサ８２の検出結果に基づき、照明手段１１又は表示素子３０を制御し、表示画像Ｄの輝度を調整する。
【００２４】  次に、ヘッドアップディスプレイ装置１の電気的構成について説明する。  ヘッドアップディスプレイ装置１は、図４に示すように、制御部１００と、ヒータ４２と、表示素子３０と、照明手段１１と、温度センサ４１と、照度センサ８２と、電源Ｐとを備える。電源Ｐは、図示しない電気線により、ヒータ４２及び照明手段１１等のヘッドアップディスプレイ装置１の各構成に接続され、電源Ｐから各構成に電力が供給可能に構成されている。
【００２５】  制御部１００は、マイクロコンピュータ及び外部インターフェース，ＲＡＭ，ＲＯＭなどの周辺回路から構成される。制御部１００には、ヒータ４２、表示素子３０、照明手段１１、温度センサ４１及び照度センサ８２が電気的に接続されている。制御部１００は、表示素子３０のマイクロミラーＥの角度制御、各ＬＥＤ１１ｒ,１１ｇ,１１ｂの点灯及び消灯に係る制御、ヒータ４２のオンオフ制御を行うことができる。制御部１００の制御内容は後で詳述する。制御部１００は、車両ＥＣＵ（Electronic Control Unit）５に通信線を介して接続されている。制御部１００は、車両ＥＣＵ５からＬＶＤＳ（Low Voltage Differential Signal）通信等により表示画像Ｄを表示するための映像信号Ｓを受け、その映像信号Ｓに基づき照明手段１１及び表示素子３０を制御することで表示画像Ｄを生成する。
【００２６】  （制御部の制御）  次に、制御部１００の制御内容について述べる。  制御部１００は、図５に示すように、温度センサ４１の検出結果に基づき、表示素子３０の温度が−４０℃〜−３０℃の範囲（低温非表示範囲Ｔ３）にあるとき非表示モードに移行し、表示素子３０の温度が−３０℃〜−１０℃の範囲（低温表示範囲Ｔ２）にあるとき低温表示モードに移行し、表示素子３０の温度が−１０℃〜８５℃の範囲（常温範囲Ｔ１）にあるとき常温モードに移行する。すなわち、制御部１００は、ヘッドアップディスプレイ装置１の電源がオンされているとき、常に表示素子３０の温度を監視して、非表示モード、低温表示モード及び常温モードの何れかのモードにある。なお、常温範囲Ｔ１は、表示素子３０の動作温度範囲から低温表示範囲Ｔ２を除いた温度範囲を指す。また、低温非表示範囲Ｔ３は、表示素子３０の動作温度範囲外に設定されている。
【００２７】  制御部１００は、非表示モードにおいては、ヒータ４２をオンすることで表示素子３０を加熱するとともに、表示素子３０及び照明手段１１をオフ状態とする。照明手段１１がオフ状態にあるとき、制御部１００による制御により各ＬＥＤ１１ｒ,１１ｇ,１１ｂに電流が供給されず、３つのＬＥＤ１１ｒ,１１ｇ,１１ｂは全て消灯された状態にある。また、表示素子３０がオフ状態にあるとき、制御部１００による制御により表示素子３０に電流が供給されず、表示素子３０の各マイクロミラーＥは上記中間点に保持される。非表示モードにおいては、ヒータ４２が常にオンされることで、表示素子３０の温度を迅速に上げることができる。よって、迅速に表示素子３０の温度を低温非表示範囲Ｔ３から低温表示範囲Ｔ２に移行させることで、制御部１００を非表示モードから低温表示モードに移行させることができる。
【００２８】  制御部１００は、常温表示モード又は低温表示モードにおいては、図６に示すように、制御時間を分割した１単位であるフレームＦ毎に、表示素子３０及び照明装置１０の制御を行う。各フレームＦは、図６に示すように、表示画像Ｄを表示させる表示期間Ｆａと、表示画像Ｄを表示させない非表示期間Ｆｂと、から構成される。制御部１００は、表示期間Ｆａにおいては、３つのＬＥＤ１１ｒ,１１ｇ,１１ｂのうち何れか一つを発光させ、発光するＬＥＤ１１ｒ,１１ｇ,１１ｂを所定時間毎に切り替えるフィールドシーケンシャル方式にて照明装置１０の制御を行う。表示期間Ｆａにおいて各光Ｒ,Ｇ,Ｂが占める割合に基づき、照明光Ｃの色が規定される。制御部１００は、非表示期間Ｆｂにおいては、３つのＬＥＤ１１ｒ,１１ｇ,１１ｂの全てを消灯させる。なお、非表示期間Ｆｂにおいて、制御部１００は、表示素子３０へ駆動命令を出力し、所定周期でマイクロミラーＥを駆動（傾斜角度を変化）させている。これにより、マイクロミラーＥが、固着してしまうことを抑制できる他、駆動（通電）による発熱によって、表示素子３０が低温になり過ぎないように温度調整する作用も期待できる。
【００２９】  制御部１００は、低温表示モードにおいては、図６に示すように、表示期間Ｆａにおいてヒータ４２をオフし、非表示期間Ｆｂにおいてヒータ４２をオンする。低温表示モードにおいては、ヒータ４２が非表示期間Ｆｂにおいてオンされることで、表示素子３０の温度を上げることができる。よって、表示素子３０の温度が低温表示範囲Ｔ２から低温非表示範囲Ｔ３に戻ることが抑制されるとともに、表示素子３０の温度を常温範囲Ｔ１に移行させて、制御部１００を低温表示モードから常温表示モードに移行させることができる。また、非表示期間Ｆｂにおいてのみヒータ４２をオンするため、ヒータ４２及び各ＬＥＤ１１ｒ,１１ｇ,１１ｂが同時にオンすることはない。
【００３０】  制御部１００は、常温表示モードにおいては、上述のようにフレームＦ毎に表示期間Ｆａ及び非表示期間Ｆｂを繰り返すとともに、常にヒータ４２をオフする。
【００３１】  （効果）  以上、説明した第１実施形態によれば、以下の効果を奏する。
【００３２】  （１）ヘッドアップディスプレイ装置１は、表示画像Ｄを表示するものであり、具体的には、それぞれ異なる色の光Ｒ,Ｇ,Ｂを発する複数（本例では３つ）のＬＥＤ１１ｒ,１１ｇ,１１ｂと、光の反射する角度を制御可能な複数のマイクロミラーＥを含む表示素子３０と、複数のＬＥＤ１１ｒ,１１ｇ,１１ｂのうち何れか一つを発光させ、発光するＬＥＤ１１ｒ,１１ｇ,１１ｂを順次切り替えるフィールドシーケンシャル方式にて複数のＬＥＤ１１ｒ,１１ｇ,１１ｂから発される光Ｒ,Ｇ,Ｂから所望の色の照明光Ｃを生成するとともに、表示素子３０のマイクロミラーＥを通じて照明光Ｃのうち表示画像Ｄに対応した光をスクリーン６０に向けて反射させる制御部１００と、表示素子３０の温度を検出する温度センサ４１と、表示素子３０の温度を上げるヒータ４２と、を備える。制御部１００は、温度センサ４１により検出された温度が常温範囲Ｔ１外にある場合、複数のＬＥＤ１１ｒ,１１ｇ,１１ｂの全てが消灯しているときに、ヒータ４２を通じて表示素子３０の温度を常温範囲Ｔ１内となるように調整する。  この構成によれば、ヒータ４２及び各ＬＥＤ１１ｒ,１１ｇ,１１ｂが同時にオンすることがないため、表示素子３０の温度を調整しつつ、ヘッドアップディスプレイ装置１において電源Ｐから供給される電流のピーク値を低減することができる。
【００３３】  （２）制御部１００は、表示画像Ｄを表示する際、照明光Ｃを生成する表示期間Ｆａと複数のＬＥＤ１１ｒ,１１ｇ,１１ｂの全てを消灯する非表示期間Ｆｂとを繰り返す。制御部１００は、温度センサ４１により検出された温度が常温範囲Ｔ１より低い低温表示範囲Ｔ２内にある場合、表示期間Ｆａ及び非表示期間Ｆｂを繰り返しつつ、当該非表示期間Ｆｂにおいてヒータ４２を通じて表示素子３０の温度を常温範囲Ｔ１内となるように上げる（低温表示モード）。また、制御部１００は、温度センサ４１により検出された温度が低温表示範囲Ｔ２より低い低温非表示範囲Ｔ３内にある場合、複数のＬＥＤ１１ｒ,１１ｇ,１１ｂの全てを消灯し、表示素子３０の動作を停止し、かつヒータ４２を通じて表示素子３０の温度を低温表示範囲Ｔ２内となるように上げる（低温非表示モード）。  この構成によれば、非表示期間Ｆｂにおいて、ヒータ４２を通じて表示素子３０が加熱される。これにより、上記のように電流のピーク値を低減する効果を得つつ、表示画像Ｄを表示しながら表示素子３０の温度を常温範囲Ｔ１に向けて上げることができる。また、特に、表示素子３０の温度が低温非表示範囲Ｔ３から低温表示範囲Ｔ２に移行した直後に、表示素子３０の温度が低下して、再び低温非表示範囲Ｔ３内となることが抑制され、これにより、制御部１００が低温非表示モードから低温表示モードに移行した直後に、再び低温非表示モードに移行することが抑制される。  また、表示期間Ｆａにおいては、全てのＬＥＤ１１ｒ,１１ｇ,１１ｂを点灯可能であるため、照明光Ｃの色設定に制限がなく、例えば、照明光Ｃを白色に設定することもできる。
【００３４】  （第２実施形態）  以下、本発明に係る表示装置を車両に搭載するヘッドアップディスプレイ装置に適用した第２実施形態について説明する。ここでは、第１実施形態との相違点のみ説明する。
【００３５】  本実施形態においては、制御部１００は、図７に示すように、低温表示モードの表示期間Ｆａにおいて、赤色ＬＥＤ１１ｒを所定のタイミングで点灯させ、他の緑色ＬＥＤ１１ｇ及び青色ＬＥＤ１１ｂを消灯した状態に維持する。これにより、表示期間Ｆａにおいて、３つのＬＥＤ１１ｒ,１１ｇ,１１ｂの全てが消灯した消灯期間Ｔａが設定される。すなわち、制御部１００は、低温表示モードにおいて、赤色で表示画像Ｄを生成する。制御部１００は、低温表示モードの非表示期間Ｆｂに加えて、表示期間Ｆａの消灯期間Ｔａにおいてヒータ４２をオンし、表示期間Ｆａの消灯期間Ｔａ以外の期間である赤色ＬＥＤ１１ｒが点灯しているときヒータ４２をオフする。
【００３６】  （効果）  以上、説明した第２実施形態によれば、特に以下の効果を奏する。
【００３７】  （１）制御部１００は、温度センサ４１により検出された温度が低温表示範囲Ｔ２内にある場合、表示期間Ｆａにおいて、３つのＬＥＤ１１ｒ,１１ｇ,１１ｂのうち２つのＬＥＤ１１ｇ,１１ｂを点灯させずに消灯した状態を維持することで３つのＬＥＤ１１ｒ,１１ｇ,１１ｂの全てが消灯した消灯期間Ｔａを設定する。そして、制御部１００は、表示期間Ｆａの消灯期間Ｔａにおいてヒータ４２を通じて表示素子３０の温度を上げる。  この構成によれば、非表示期間Ｆｂのみならず、表示期間Ｆａの消灯期間Ｔａにおいても、ヒータ４２がオンされる。よって、上記第１実施形態に記載のように電流のピーク値を低減する効果を得つつ、より迅速に、低温表示範囲Ｔ２において表示素子３０の温度を上げることができる。
【００３８】（変形例）  なお、上記実施形態は、これを適宜変更した以下の形態にて実施することができる。
【００３９】  第１及び２実施形態においては、温度調整部及び加熱部としてヒータ４２が採用されていたが、加熱部として表示素子３０を加熱することができればヒータ４２に限らない。また、温度調整部は、表示素子３０を冷却する送風ファン又はエアーコンディショナー等の冷却部であってもよい。この場合、制御部１００は、表示素子３０の温度が第１閾値を超えた場合、上記低温表示モードと同様に、非表示期間Ｆｂ等に冷却部を駆動させる。制御部１００は、第１閾値より大きい第２閾値を超えた場合、上記低温非表示モードと同様に、常に冷却部を駆動させる。また、ヘッドアップディスプレイ装置１に、ヒータ４２及び冷却部の両方を設けてもよい。
【００４０】  また、第１及び第２実施形態における、常温範囲Ｔ１、低温表示範囲Ｔ２及び低温非表示範囲Ｔ３の温度範囲は適宜変更可能である。また、低温非表示範囲Ｔ３には、−４０℃に下限が設定されていたが、下限が設定されていなくてもよい。
【００４１】  第２実施形態においては、制御部１００は、表示期間Ｆａにおいて、赤色ＬＥＤ１１ｒのみを所定のタイミングで点灯させ、他の緑色ＬＥＤ１１ｇ及び青色ＬＥＤ１１ｂを消灯した状態に維持していたが、制御部１００は、表示期間Ｆａにおいて、緑色ＬＥＤ１１ｇ又は青色ＬＥＤ１１ｂを所定のタイミングで点灯させ、他の２つのＬＥＤを消灯した状態に維持してもよい。さらに、制御部１００は、表示期間Ｆａにおいて、３つのＬＥＤ１１ｒ,１１ｇ,１１ｂのうち２つのＬＥＤを所定のタイミングで点灯させ、残りの１つのＬＥＤを消灯した状態に維持してもよい。
【００４２】  第１及び第２実施形態においては、照明手段１１は３つのＬＥＤ１１ｒ,１１ｇ,１１ｂを備えていたが、３つのＬＥＤのうち何れか一つを省略してもよいし、それぞれ異なる色の光を発する４つ以上のＬＥＤを備えていてもよい。また、光を発する光源であればＬＥＤ以外の光源であってもよい。
【００４３】  第１及び第２実施形態においては、温度センサ４１は、表示素子３０の温度を検出していたが、表示素子３０の温度に影響を及ぼすハウジング８０内又はハウジング８０周辺の温度を測定してもよい。また、ヒータ４２も、表示素子３０の温度を上げることができれば、表示素子３０と離れた位置にあってもよい。
【００４４】  第１及び第２実施形態では、表示装置は車載用のヘッドアップディスプレイ装置１であったが、車載用に限らず、飛行機、船等の乗り物に搭載されるヘッドアップディスプレイ装置であってもよい。また、ヘッドアップディスプレイ装置１からの表示光Ｌを照射する対象はウインドシールド２に限られず、専用のコンバイナであってもよい。また、表示装置は、屋内又は屋外で使用されるプロジェクタ等であってもよい。
【産業上の利用可能性】
【００４５】  本発明は、乗り物に搭載される表示装置として好適である。
【符号の説明】
【００４６】１…ヘッドアップディスプレイ装置２…ウインドシールド１０…照明装置１１…照明手段１１ｒ…赤色ＬＥＤ（光源）１１ｇ…緑色ＬＥＤ（光源）１１ｂ…青色ＬＥＤ（光源）１３…反射透過光学手段１４…輝度ムラ低減光学手段２０…照明光学系３０…表示素子４１…温度センサ（温度検出部）４２…ヒータ（温度調整部、加熱部）５０…投射光学系６０…スクリーン７０…平面ミラー７１…凹面ミラー８０…ハウジング１００… 制御部Ｅ…マイクロミラー（反射部）Ｆａ…表示期間Ｆｂ…非表示期間Ｔａ…消灯期間Ｔ１…常温範囲Ｔ２…低温表示範囲Ｔ３…低温非表示範囲
【図１】
2017038497.tif 000003
【図２】
2017038497.tif 000004
【図３】
2017038497.tif 000005
【図４】
2017038497.tif 000006
【図５】
2017038497.tif 000007
【図６】
2017038497.tif 000008
【図７】
2017038497.tif 000009
【国際調査報告】
2017038497.tif 000010
2017038497.tif 000011
2017038497.tif 000012
2017038497.tif 000013